(57)【要約】【課題】配線部の周囲における防水性を高めることのできる調光ユニットおよび調光板を提供する。【解決手段】調光シート２０は、調光層２１と、透明電極層２３Ａを備える第１電極シート２２Ａと、第２電極シート２２Ｂとを備える。第１電極シート２２Ａにおける透明電極層２３Ａが構成する表面とは反対側の面が透明板５０の表面５０Ｆ内に固定される。配線部３０Ａは、接続領域ＳＡにて透明電極層２３Ａに接合された導電性接着層３１Ａと、導電性接着層３１Ａに接合された配線基板３２Ａであって透明板５０に沿って調光シート２０の外側へ延びる延在部３３Ａを有する配線基板３２Ａとを備える。表面封止部４２Ａは、接続領域ＳＡとその周囲、配線部３０Ａのなかで接続領域ＳＡ上に位置する部分、および、延在部３３Ａの表面とその周囲を覆う。裏面封止部４３Ａは、延在部３３Ａの裏面と透明板５０との間を埋めている。【選択図】図３
2020038265.tif 000002
【特許請求の範囲】
【請求項１】
液晶組成物を含む調光層と、透明電極層を備える第１電極シートと、第２電極シートとを備える調光シートであって、前記調光層が前記透明電極層と前記第２電極シートとに挟まれている調光領域と、前記透明電極層が前記調光シートの最外面を構成する接続領域とを有し、前記第１電極シートにおける前記透明電極層が構成する表面とは反対側の面が透明支持体の表面内に固定される前記調光シートと、
前記接続領域にて前記透明電極層に接合された導電性接着層と、前記導電性接着層に接合された配線基板であって前記透明支持体に沿って前記調光シートの外側へ延びる延在部を有する前記配線基板とを備える配線部と、
前記接続領域とその周囲、前記配線部のなかで前記接続領域上に位置する部分、および、前記延在部の表面とその周囲を覆う表面封止部と、
前記延在部の裏面と前記透明支持体との間を埋める裏面封止部と、
を備える調光ユニット。
【請求項２】
前記裏面封止部の全体は、前記透明支持体上において前記調光シートの外側の領域に位置し、
前記延在部の表面と対向する位置から見た平面視において、前記延在部の幅方向の両側に前記裏面封止部がはみ出している
請求項１に記載の調光ユニット。
【請求項３】
前記表面封止部は、前記裏面封止部の全体と重なり、前記幅方向における前記裏面封止部の外側で前記透明支持体の前記表面に固定されている
請求項２に記載の調光ユニット。
【請求項４】
前記表面封止部の厚さは、前記配線基板の厚さよりも大きい
請求項１〜３のいずれか一項に記載の調光ユニット。
【請求項５】
前記表面封止部の厚さは、前記裏面封止部の厚さよりも大きい
請求項１〜４のいずれか一項に記載の調光ユニット。
【請求項６】
前記表面封止部は、基材と、前記基材の一方の面を覆う粘着層とから構成されるシートである
請求項１〜５のいずれか一項に記載の調光ユニット。
【請求項７】
前記裏面封止部は、基材と、前記基材の一方の面を覆う粘着層と、前記基材の他方の面を覆う粘着層とから構成されるシートである
請求項１〜６のいずれか一項に記載の調光ユニット。
【請求項８】
前記配線基板は、フレキシブルプリント基板である
請求項１〜７のいずれか一項に記載の調光ユニット。
【請求項９】
液晶組成物を含む調光層と、透明電極層を備える第１電極シートと、第２電極シートとを備える調光シートであって、前記調光層が前記透明電極層と前記第２電極シートとに挟まれている調光領域と、前記透明電極層が前記調光シートの最外面を構成する接続領域とを有する前記調光シートと、
前記第１電極シートにおける前記透明電極層が構成する表面とは反対側の面を支持して当該面に沿って当該面の外側まで広がる透明支持体と、
前記接続領域にて前記透明電極層に接合された導電性接着層と、前記導電性接着層に接合された配線基板であって前記透明支持体に沿って前記調光シートの外側へ延びる延在部を有する前記配線基板とを備える配線部と、
前記接続領域とその周囲、前記配線部のなかで前記接続領域上に位置する部分、および、前記延在部の表面とその周囲を覆う表面封止部と、
前記延在部の裏面と前記透明支持体との間を埋める裏面封止部と、
を備える調光板。
【発明の詳細な説明】
【技術分野】
【０００１】
本発明は、調光シートと、調光シートを電源に接続するための配線部とを備える調光ユニット、および、調光ユニットを備える調光板に関する。
【背景技術】
【０００２】
調光シートは、液晶組成物を含む調光層と、調光層を挟む一対の電極シートである第１電極シートおよび第２電極シートとを備えている。各電極シートは透明電極層を備えており、一対の電極シートにおける透明電極層間の電位差に応じて液晶分子の配向状態が変わることにより、調光シートの光透過率が変わる。そして、調光シートと、各透明電極層を電源に接続するための配線部とから、調光ユニットが構成される。
【０００３】
配線部は、第１電極シートの透明電極層に接続される第１配線部と、第２電極シートの透明電極層に接続される第２配線部とを含む。第１配線部は、第１電極シートの透明電極層が、調光層および第２電極シートから露出している部分に接続される。第２配線部は、第２電極シートの透明電極層が、調光層および第１電極シートから露出している部分に接続される（例えば、特許文献１参照）。
【先行技術文献】
【特許文献】
【０００４】
【特許文献１】特開２００７−５７９２５号公報
【発明の概要】
【発明が解決しようとする課題】
【０００５】
調光ユニットは、建物や車両の窓ガラス等である透明板に取り付けられる。例えば、屋外と屋内との境界部や温度差の大きい２つの空間の境界部等に調光ユニットが配置される場合には、結露による水滴や雨水等の水分が調光ユニットに付着することが起こり得る。水分が調光層の内部に浸入したり透明電極層や配線部の導体部分に付着したりすると、調光シートにおける光透過率の可変機能が低下する。特に、調光シートに配線部が接続されている部分では、透明電極層が露出するように調光シートが加工されているため、加工部分の端面からの水分の浸入や透明電極層および配線部への水分の付着が起こりやすい。
【０００６】
本発明は、配線部の周囲における防水性を高めることのできる調光ユニットおよび調光板を提供することを目的とする。
【課題を解決するための手段】
【０００７】
上記課題を解決する調光ユニットは、液晶組成物を含む調光層と、透明電極層を備える第１電極シートと、第２電極シートとを備える調光シートであって、前記調光層が前記透明電極層と前記第２電極シートとに挟まれている調光領域と、前記透明電極層が前記調光シートの最外面を構成する接続領域とを有し、前記第１電極シートにおける前記透明電極層が構成する表面とは反対側の面が透明支持体の表面内に固定される前記調光シートを備える。さらに、調光ユニットは、前記接続領域にて前記透明電極層に接合された導電性接着層と、前記導電性接着層に接合された配線基板であって前記透明支持体に沿って前記調光シートの外側へ延びる延在部を有する前記配線基板とを備える配線部を備える。さらに、調光ユニットは、前記接続領域とその周囲、前記配線部のなかで前記接続領域上に位置する部分、および、前記延在部の表面とその周囲を覆う表面封止部と、前記延在部の裏面と前記透明支持体との間を埋める裏面封止部とを備える。
【０００８】
上記課題を解決する調光板は、液晶組成物を含む調光層と、透明電極層を備える第１電極シートと、第２電極シートとを備える調光シートであって、前記調光層が前記透明電極層と前記第２電極シートとに挟まれている調光領域と、前記透明電極層が前記調光シートの最外面を構成する接続領域とを有する前記調光シートを備える。さらに、調光板は、前記第１電極シートにおける前記透明電極層が構成する表面とは反対側の面を支持して当該面に沿って当該面の外側まで広がる透明支持体と、前記接続領域にて前記透明電極層に接合された導電性接着層と、前記導電性接着層に接合された配線基板であって前記透明支持体に沿って前記調光シートの外側へ延びる延在部を有する前記配線基板とを備える配線部とを備える。さらに、調光板は、前記接続領域とその周囲、前記配線部のなかで前記接続領域上に位置する部分、および、前記延在部の表面とその周囲を覆う表面封止部と、前記延在部の裏面と前記透明支持体との間を埋める裏面封止部とを備える。
【０００９】
上記構成によれば、表面封止部が配置されていることによって、調光シートに対して透明支持体とは反対側から、接続領域と配線部との接続部の付近へ水分が浸入することが抑えられる。また、裏面封止部が配置されていることによって、調光シートに対して透明支持体の位置する側から、接続領域と配線部との接続部の付近へ水分が浸入することが抑えられる。したがって、配線部の周囲における防水性が高められる。
【００１０】
上記構成において、前記裏面封止部の全体は、前記透明支持体上において前記調光シートの外側の領域に位置し、前記延在部の表面と対向する位置から見た平面視において、前記延在部の幅方向の両側に前記裏面封止部がはみ出していてもよい。
【００１１】
上記構成によれば、配線基板の幅方向において、延在部と透明支持体との間に隙間が形成されることが抑えられるため、調光シートに対して透明支持体の位置する側からの水分の浸入が的確に抑えられる。また、調光ユニットの組み立てに際して、延在部と裏面封止部との位置合わせも容易である。
【００１２】
上記構成において、前記表面封止部は、前記裏面封止部の全体と重なり、前記幅方向における前記裏面封止部の外側で前記透明支持体の前記表面に固定されていてもよい。
上記構成によれば、調光シートに対して透明支持体とは反対側からの水分の浸入が抑えられている領域において、透明支持体の位置する側からも水分の浸入が抑えられるため、配線部の周囲における防水性が的確に高められる。また、接続領域、配線部、および、裏面封止部が形成する凹凸の全体が表面封止部に覆われる。したがって、調光ユニットの周囲の物品等が接続領域の付近に接触した場合に、当該物品等が、調光シートや配線部や裏面封止部に引っ掛かることが抑えられる。
【００１３】
上記構成において、前記表面封止部の厚さは、前記配線基板の厚さよりも大きくてもよい。
上記構成において、前記表面封止部の厚さは、前記裏面封止部の厚さよりも大きくてもよい。
【００１４】
上記各構成によれば、接続領域、配線部、および、裏面封止部が形成する凹凸が、表面封止部によって埋まりやすくなる。その結果、表面封止部と、表面封止部に接合している各部との密着性が高まるため、調光シートに対して透明支持体とは反対側からの水分の浸入がより的確に抑えられる。
【００１５】
上記構成において、前記表面封止部は、基材と、前記基材の一方の面を覆う粘着層とから構成されるシートであってもよい。
上記構成によれば、表面封止部の組み付けが容易である。
【００１６】
上記構成において、前記裏面封止部は、基材と、前記基材の一方の面を覆う粘着層と、前記基材の他方の面を覆う粘着層とから構成されるシートであってもよい。
上記構成によれば、裏面封止部の組み付けが容易である。
【００１７】
上記構成において、前記配線基板は、フレキシブルプリント基板であってもよい。
上記構成によれば、配線基板として汎用性の高い基板を用いた構成において、配線部の周囲における防水性が高められる。
【発明の効果】
【００１８】
本発明によれば、配線部の周囲における防水性を高めることができる。
【図面の簡単な説明】
【００１９】
【図１】調光ユニットおよび調光板の一実施形態について、調光板の平面構造を示す図。
【図２】調光ユニットおよび調光板の一実施形態について、第１配線部および第１配線防水部の付近の平面を示す図。
【図３】図２のIII−III線における断面構造を示す図。
【図４】調光ユニットおよび調光板の一実施形態について、第２配線部および第２配線防水部の付近の平面を示す図。
【図５】図４のV−V線における断面構造を示す図。
【図６】変形例の調光板の断面構造を示す図。
【発明を実施するための形態】
【００２０】
図１〜図６を参照して、調光ユニットおよび調光板の一実施形態を説明する。
［調光ユニットおよび調光板の全体構成］
図１が示すように、調光ユニット１０は、調光シート２０と、配線部３０と、防水部４０とを備えている。そして、調光板１００は、調光ユニット１０と、透明支持体の一例である透明板５０とを備えている。
【００２１】
調光ユニット１０は、透明板５０に取り付けられている。具体的には、調光シート２０は、表面２０Ｆと、表面２０Ｆとは反対側の面である裏面２０Ｒとを有し、裏面２０Ｒが透明板５０の表面５０Ｆに貼り付けられている。透明板５０は、ガラスや樹脂等からなる透明な板状の部材である。透明板５０は、例えば、窓ガラスやガラス壁等の建材であってもよいし、自動車の窓ガラス等の車両用部材であってもよい。また、透明板５０の表面５０Ｆは、平面であってもよいし、曲面であってもよい。
【００２２】
透明板５０は、調光シート２０の裏面２０Ｒを支持し、裏面２０Ｒに沿って、裏面２０Ｒの外側まで広がっている。言い換えれば、調光シート２０は、透明板５０の表面５０Ｆ内に貼り付けられており、調光シート２０の表面２０Ｆと対向する位置から見た平面視において、調光シート２０の全体が、透明板５０の外縁の内側に位置する。
【００２３】
配線部３０は、調光シート２０が備える一対の透明電極層を電源と接続するための部分である。配線部３０は、上記一対の透明電極層の一方と電源とを接続するための第１配線部３０Ａと、上記一対の透明電極層の他方と電源とを接続するための第２配線部３０Ｂとを含む。
【００２４】
調光シート２０は、光透過率が可変の領域である調光領域ＳＬと、第１配線部３０Ａの接続のための領域である第１接続領域ＳＡと、第２配線部３０Ｂの接続のための領域である第２接続領域ＳＢとを有している。第１接続領域ＳＡと第２接続領域ＳＢとは調光シート２０の端部に位置し、例えば、矩形形状の調光シート２０の一辺に沿って並ぶ。第１配線部３０Ａは、第１接続領域ＳＡから調光シート２０の外周領域へ延びており、第２配線部３０Ｂは、第２接続領域ＳＢから調光シート２０の外周領域へ延びている。調光シート２０の外周領域は、調光シート２０の外縁の外側の領域である。
【００２５】
調光シート２０の表面２０Ｆと対向する位置から見た平面視において、防水部４０は、調光シート２０の全周を取り囲んでいる。防水部４０は、配線部３０の付近からの水分の浸入を防ぐための配線防水部４１と、調光シート２０の端面からの水分の浸入を防ぐための端面防水部４５とを含んでいる。さらに、配線防水部４１は、第１配線部３０Ａに対して設けられた第１配線防水部４１Ａと、第２配線部３０Ｂに対して設けられた第２配線防水部４１Ｂとを含んでいる。端面防水部４５は、透明板５０上において調光シート２０の外縁に沿って延び、調光シート２０の端面を覆っている。
【００２６】
［配線防水部の詳細構成］
図２〜図４を参照して、配線防水部４１の詳細な構造について説明する。
図２および図３が示すように、第１配線部３０Ａは、導電性接着層３１Ａと配線基板３２Ａとを備えている。また、第１配線防水部４１Ａは、表面封止部４２Ａと裏面封止部４３Ａとを備えている。
【００２７】
第１配線部３０Ａと第１配線防水部４１Ａとの配置の説明に先立って、図３を参照して、調光シート２０の層構造について説明する。
調光シート２０は、調光層２１と、一対の電極シートである第１電極シート２２Ａおよび第２電極シート２２Ｂを備えている。第１電極シート２２Ａは、第１透明電極層２３Ａと、第１透明電極層２３Ａを支持する第１透明支持層２４Ａとを備えている。第２電極シート２２Ｂは、第２透明電極層２３Ｂと、第２透明電極層２３Ｂを支持する第２透明支持層２４Ｂとを備えている。
【００２８】
調光領域ＳＬにおいて、第１電極シート２２Ａと第２電極シート２２Ｂとは、第１透明電極層２３Ａと第２透明電極層２３Ｂとが向かい合うように、調光層２１を挟んでいる。すなわち、第１透明電極層２３Ａと第２透明電極層２３Ｂとは、調光層２１を挟み、第１透明支持層２４Ａと第２透明支持層２４Ｂとは、調光層２１および透明電極層２３Ａ，２３Ｂを挟んでいる。
【００２９】
調光層２１は、液晶組成物を含む。調光層２１は、例えば、高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、カプセル型ネマティック液晶(ＮＣＡＰ：Ｎｅｍａｔｉｃ  Ｃｕｒｖｉｌｉｎｅａｒ  Ａｌｉｇｎｅｄ  Ｐｈａｓｅ)等から構成される。例えば、高分子ネットワーク型液晶は、３次元の網目状を有した高分子ネットワークを備え、高分子ネットワークが有する空隙に液晶分子を保持する。調光層２１が含む液晶分子は、例えば、誘電率異方性が正であって、液晶分子の長軸方向の誘電率が液晶分子の短軸方向の誘電率よりも大きい。液晶分子は、例えば、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系の液晶分子である。
【００３０】
第１透明電極層２３Ａおよび第２透明電極層２３Ｂの各々は、導電性を有する透明な層である。透明電極層２３Ａ，２３Ｂを構成する材料としては、例えば、酸化インジウムスズ（ＩＴＯ）、フッ素ドープ酸化スズ（ＦＴＯ）、酸化スズ、酸化亜鉛、カーボンナノチューブ（ＣＮＴ）、ポリ（３，４-エチレンジオキシチオフェン）（ＰＥＤＯＴ）を含むポリマー、Ａｇ合金薄膜を含む多層膜等が挙げられる。
【００３１】
第１透明支持層２４Ａおよび第２透明支持層２４Ｂの各々は、透明な基材である。透明支持層２４Ａ，２４Ｂとしては、例えば、ガラス基板やシリコン基板、あるいは、ポリエチレン、ポリスチレン、ポリエチレンテレフタレート、ポリビニルアルコール、ポリカーボネート、ポリ塩化ビニル、ポリイミド、ポリサルホン、シクロオレフィンポリマー、トリアセチルセルロース等からなる高分子フィルムが用いられる。
【００３２】
透明電極層２３Ａ，２３Ｂに駆動電圧が印加されていないとき、液晶分子の長軸方向の向きは不規則である。そのため、調光層２１に入射した光は散乱し、調光シート２０は白濁して見える。すなわち、調光領域ＳＬは不透明である。一方、配線部３０を通じて第１透明電極層２３Ａと第２透明電極層２３Ｂとの間に駆動電圧が印加されると、液晶分子が配向され、液晶分子の長軸方向が透明電極層２３Ａ，２３Ｂ間の電界方向に沿った向きとなる。その結果、調光層２１を光が透過しやすくなり、調光領域ＳＬは透明となる。
【００３３】
調光シート２０は、透明粘着層６０を介して透明板５０に貼り付けられている。透明粘着層６０は、調光シート２０の裏面２０Ｒと透明板５０の表面５０Ｆとに挟まれて、これらの面に接着している。調光シート２０の裏面２０Ｒは、第１電極シート２２Ａの第１透明支持層２４Ａが構成する面であって、第１透明支持層２４Ａにおける第１透明電極層２３Ａに接する面とは反対側の面である。透明粘着層６０の材料は、透明で接着性を有する層を形成可能であれば特に限定されず、例えば、ＯＣＡ（Ｏｐｔｉｃａｌ  Ｃｌｅａｒ  Ａｄｈｅｓｉｖｅ）フィルムが用いられる。
【００３４】
続いて、第１配線部３０Ａと第１配線防水部４１Ａとの配置を説明する。第１接続領域ＳＡでは、第１電極シート２２Ａにおける第１透明電極層２３Ａの表面２５ａが、調光層２１および第２電極シート２２Ｂから露出されており、調光シート２０の最外面を構成している。表面２５ａは、第１電極シート２２Ａにおける第１透明支持層２４Ａが構成する上記裏面２０Ｒとは反対側の面である。表面２５ａに、第１配線部３０Ａが接続されている。詳細には、表面２５ａに導電性接着層３１Ａが接合し、導電性接着層３１Ａにおける表面２５ａに接する面とは反対側の面に配線基板３２Ａが接合している。
【００３５】
導電性接着層３１Ａは、例えば、異方性導電フィルム（ＡＣＦ：Ａｎｉｓｏｔｒｏｐｉｃ  Ｃｏｎｄｕｃｔｉｖｅ  Ｆｉｌｍ）、異方性導電ペースト（ＡＣＰ：Ａｎｉｓｏｔｒｏｐｉｃ  Ｃｏｎｄｕｃｔｉｖｅ  Ｐａｓｔｅ）、等方性導電フィルム（ＩＣＦ：Ｉｓｏｔｒｏｐｉｃ  Ｃｏｎｄｕｃｔｉｖｅ  Ｆｉｌｍ）、等方性導電ペースト（ＩＣＰ：Ｉｓｏｔｒｏｐｉｃ  Ｃｏｎｄｕｃｔｉｖｅ  Ｐａｓｔｅ）等から構成される。製造工程における取り扱いが容易であること等の観点からは、導電性接着層３１Ａとして、異方性導電フィルムを用いることが好ましい。
【００３６】
配線基板３２Ａは、導体が樹脂製の支持体に支持された構造を有する。具体的には、配線基板３２Ａとしては、フレキシブルプリント基板（ＦＰＣ：Ｆｌｅｘｉｂｌｅ  Ｐｒｉｎｔｅｄ  Ｃｉｒｃｕｉｔｓ）が用いられる。フレキシブルプリント基板は、ポリイミド等の絶縁性樹脂から構成された可撓性を有する支持基材と、銅等の金属薄膜から構成された導体部と、絶縁性樹脂から構成されて導体部を覆う保護層とを備え、支持基材上に導体部と保護層とが位置する。導電性接着層３１Ａと配線基板３２Ａとの接合部分では、導体部が保護層から露出されて導電性接着層３１Ａに接している。
【００３７】
配線基板３２Ａは、第１接続領域ＳＡから、透明板５０上にて調光シート２０の外周領域に延び、さらに、透明板５０の外方まで延びて駆動回路に接続されている。駆動回路は、電源から受ける電圧を駆動電圧に変換して配線部３０を通じて透明電極層２３Ａ，２３Ｂに印加する。配線基板３２Ａのなかで、透明板５０上にて調光シート２０の外周領域に位置する部分、言い換えれば、透明板５０に沿って調光シート２０の外側へ延びている部分が、延在部３３Ａである。
【００３８】
第１配線防水部４１Ａの表面封止部４２Ａは、調光シート２０の表面側から、すなわち、調光シート２０に対して透明板５０とは反対側から、第１接続領域ＳＡと第１配線部３０Ａとを覆っている。裏面封止部４３Ａは、第１配線部３０Ａに対して表面封止部４２Ａとは反対側に位置し、配線基板３２Ａにおける延在部３３Ａと透明板５０との間を埋めている。詳細には、裏面封止部４３Ａは、延在部３３Ａの裏面と透明板５０の表面５０Ｆとに接着しており、延在部３３Ａは、裏面封止部４３Ａを介して透明板５０の表面５０Ｆに貼り付けられている。なお、裏面封止部４３Ａは、配線基板３２Ａの幅方向において延在部３３Ａの全体と透明板５０との間を埋めていればよく、配線基板３２Ａの延びる方向においては、裏面封止部４３Ａは、延在部３３Ａの少なくとも一部と透明板５０との間を埋めていればよい。
【００３９】
図２が示すように、配線基板３２Ａの幅方向における裏面封止部４３Ａの長さＬｒＡは、延在部３３Ａにおける裏面封止部４３Ａと接している部分の上記幅方向における長さＬｃＡよりも大きい。そして、延在部３３Ａの表面と対向する位置から見た平面視において、上記幅方向における延在部３３Ａの両側に裏面封止部４３Ａがはみ出している。
【００４０】
表面封止部４２Ａは、第１接続領域ＳＡとその周囲、および、これらの領域に位置する第１配線部３０Ａと裏面封止部４３Ａとを覆っている。
すなわち、上記平面視において、表面封止部４２Ａは、第１接続領域ＳＡよりも大きく、第１接続領域ＳＡの全体と第１配線部３０Ａのなかで第１接続領域ＳＡ上に位置する部分とを覆うとともに、第１接続領域ＳＡの外周に位置する調光領域ＳＬを覆っている。言い換えれば、表面封止部４２Ａは、第１接続領域ＳＡの外周で調光シート２０の表面２０Ｆを構成する第２電極シート２２Ｂを覆っている。
【００４１】
さらに、表面封止部４２Ａは、調光シート２０の縁部を跨いで、調光シート２０の外周領域まで広がり、延在部３３Ａと裏面封止部４３Ａおよびその周囲を覆っている。詳細には、表面封止部４２Ａは、裏面封止部４３Ａの全体を覆うとともに、延在部３３Ａのなかで第１接続領域ＳＡから延びて裏面封止部４３Ａに接合されている部分までを少なくとも覆っている。図２および図３においては、表面封止部４２Ａが、配線基板３２Ａの延びる方向において、調光シート２０上から裏面封止部４３Ａの位置する部分までを覆う形態を図示したが、表面封止部４２Ａは、裏面封止部４３Ａを超える位置まで延びていてもよい。表面封止部４２Ａは、配線基板３２Ａの幅方向における配線基板３２Ａの外側、および、当該幅方向における裏面封止部４３Ａの外側で、透明板５０の表面５０Ｆを覆い、表面５０Ｆに固定されている。
【００４２】
表面封止部４２Ａは、耐水性を有する基材と、当該基材の一方の面を覆う粘着層とを有するシートであることが好ましい。また、上記基材は、柔軟で伸縮性の高い基材であることが好ましい。例えば、アクリルフォーム基材の表面にアクリル系粘着剤の層を有するシートは、耐水性、伸縮性、および、接着性が良好であるため、好適に用いられる。
【００４３】
裏面封止部４３Ａは、耐水性を有する基材と、当該基材の一方の面を覆う粘着層と、当該基材の他方の面を覆う粘着層とを有するシートであることが好ましい。例えば、アクリルフォーム基材の表面と裏面とにアクリル系粘着剤の層を有するシートは、耐水性および接着性が良好であるため、好適に用いられる。
【００４４】
図３が示すように、表面封止部４２Ａの厚さＴｆＡは、配線基板３２Ａの厚さＴｃＡよりも大きく、また、裏面封止部４３Ａの厚さＴｒＡよりも大きいことが好ましい。なお、配線基板３２Ａの厚さＴｃＡは、配線基板３２Ａのなかで最も厚い部分の厚さであり、表面封止部４２Ａの厚さＴｆＡおよび裏面封止部４３Ａの厚さＴｒＡは平均厚さである。
【００４５】
表面封止部４２Ａは柔軟性を有し、第１接続領域ＳＡ、第１配線部３０Ａ、および、裏面封止部４３Ａが形成する凹凸に沿って配置されている。表面封止部４２Ａの厚さＴｆＡが、配線基板３２Ａの厚さＴｃＡおよび裏面封止部４３Ａの厚さＴｒＡよりも大きければ、表面封止部４２Ａが十分に厚いため、表面封止部４２Ａによって上記凹凸が埋まりやすくなる。その結果、表面封止部４２Ａと、表面封止部４２Ａに接合している各部との密着性が高まるため、表面封止部４２Ａによる防水効果が高められる。
【００４６】
図４および図５を参照して、第２配線部３０Ｂと第２配線防水部４１Ｂについて説明する。第２配線部３０Ｂは、導電性接着層３１Ｂと配線基板３２Ｂとを備えている。また、第２配線防水部４１Ｂは、表面封止部４２Ｂと裏面封止部４３Ｂとを備えている。
【００４７】
導電性接着層３１Ｂは、導電性接着層３１Ａと同様、例えば、異方性導電フィルム、異方性導電ペースト、等方性導電フィルム、等方性導電ペースト等から構成される。配線基板３２Ｂとしては、フレキシブルプリント基板が用いられる。
【００４８】
第２接続領域ＳＢでは、第２電極シート２２Ｂにおける第２透明電極層２３Ｂの表面２５ｂが、調光層２１および第１電極シート２２Ａから露出されており、調光シート２０における表面２０Ｆとは反対側の最外面を構成している。そして、表面２５ｂに導電性接着層３１Ｂが接合し、導電性接着層３１Ｂにおける表面２５ｂに接する面とは反対側の面に配線基板３２Ｂが接合している。配線基板３２Ｂは、第２接続領域ＳＢから、透明板５０上にて調光シート２０の外周領域に延び、さらに、透明板５０の外方まで延びて駆動回路に接続されている。配線基板３２Ｂのなかで、透明板５０上にて調光シート２０の外周領域に位置する部分、言い換えれば、透明板５０に沿って調光シート２０の外側へ延びている部分が、延在部３３Ｂである。
【００４９】
表面封止部４２Ｂは、調光シート２０の表面側から、すなわち、調光シート２０に対して透明板５０とは反対側から、第２接続領域ＳＢと第２配線部３０Ｂとを覆っている。裏面封止部４３Ｂは、第２配線部３０Ｂに対して表面封止部４２Ｂとは反対側に位置し、配線基板３２Ｂにおける延在部３３Ｂと透明板５０との間を埋めている。すなわち、裏面封止部４３Ｂは、延在部３３Ｂの裏面と透明板５０の表面５０Ｆとに接着しており、延在部３３Ｂは、裏面封止部４３Ｂを介して透明板５０の表面５０Ｆに貼り付けられている。表面封止部４２Ｂは、表面封止部４２Ａと同様の材料から構成され、裏面封止部４３Ｂは、裏面封止部４３Ａと同様の材料から構成される。
【００５０】
図４が示すように、配線基板３２Ｂの幅方向における裏面封止部４３Ｂの長さＬｒＢは、延在部３３Ｂにおける裏面封止部４３Ｂと接している部分の上記幅方向における長さＬｃＢよりも大きい。そして、延在部３３Ｂの表面と対向する位置から見た平面視において、上記幅方向における延在部３３Ｂの両側に裏面封止部４３Ｂがはみ出している。
【００５１】
表面封止部４２Ｂは、上記平面視において、第２接続領域ＳＢよりも大きく、第２接続領域ＳＢの全体と第２配線部３０Ｂのなかで第２接続領域ＳＢ上に位置する部分とを覆うとともに、第２接続領域ＳＢの外周に位置する調光領域ＳＬを覆っている。
【００５２】
さらに、表面封止部４２Ｂは、調光シート２０の縁部を跨いで、調光シート２０の外周領域まで広がり、裏面封止部４３Ｂの全体を覆うとともに、延在部３３Ｂのなかで第２接続領域ＳＢから延びて裏面封止部４３Ｂに接合されている部分までを少なくとも覆っている。そして、表面封止部４２Ｂは、透明板５０上において、配線基板３２Ｂの幅方向における延在部３３Ｂの外側、および、当該幅方向における裏面封止部４３Ｂの外側で、透明板５０の表面５０Ｆに固定されている。
【００５３】
図５が示すように、表面封止部４２Ｂの厚さＴｆＢは、配線基板３２Ｂの厚さＴｃＢよりも大きく、また、裏面封止部４３Ｂの厚さＴｒＢよりも大きいことが好ましい。こうした構成によれば、第２接続領域ＳＢ、第２配線部３０Ｂ、および、裏面封止部４３Ｂが形成する凹凸が、表面封止部４２Ｂによって埋まりやすくなる。その結果、表面封止部４２Ｂと、表面封止部４２Ｂに接合している各部との密着性が高まるため、表面封止部４２Ｂによる防水効果が高められる。なお、配線基板３２Ｂの厚さＴｃＢは、配線基板３２Ｂのなかで最も厚い部分の厚さであり、表面封止部４２Ｂの厚さＴｆＢおよび裏面封止部４３Ｂの厚さＴｒＢは平均厚さである。
【００５４】
調光シート２０の製造工程においては、例えば、まず、調光シート２０を構成する各層を備えた多層体からなる大判のシートから所望の外形のシートが切り出される。そして、第１接続領域ＳＡとなる部分の調光層２１および第２電極シート２２Ｂが切り取り等によって除去され、同様に、第２接続領域ＳＢとなる部分の調光層２１および第１電極シート２２Ａが除去されることによって、調光シート２０が形成される。
【００５５】
こうした製造方法によって製造された調光シート２０においては、調光層２１および電極シート２２Ａ，２２Ｂは、端面防水部４５が接する調光シート２０の端面まで延びている。また、調光領域ＳＬから第１接続領域ＳＡへ、第１電極シート２２Ａは連続して延び、調光領域ＳＬにおける第１接続領域ＳＡと隣接する端部に、調光層２１および第２電極シート２２Ｂの端面が露出する。同様に、調光領域ＳＬから第２接続領域ＳＢへ、第２電極シート２２Ｂは連続して延び、調光領域ＳＬにおける第２接続領域ＳＢと隣接する端部に、調光層２１および第１電極シート２２Ａの端面が露出する。
【００５６】
なお、端面防水部４５は、例えば、防水テープ、ホットメルト接着剤、および、熱圧着シートのいずれかから構成される。防水テープは、耐水性を有する基材の表面に粘着剤からなる層を有するテープである。例えば、アクリルフォーム基材の表面にアクリル系粘着剤の層を有するテープは、強い接着性を有するため、好適に用いられる。
【００５７】
ホットメルト接着剤としては、エチレン酢酸ビニル（ＥＶＡ）系、または、エチレンメタクリル酸メチル（ＥＭＭＡ）系のホットメルト接着剤が好適に用いられる。熱圧着シートとしては、ＥＶＡ系熱圧着シートが好適に用いられる。熱圧着シートを用いる場合、例えば、端面防水部４５のなかで調光シート２０の表面２０Ｆに接する部分が、当該表面２０Ｆに熱圧着によって固定されるとともに、端面防水部４５のなかで透明板５０の表面５０Ｆに接する部分が、当該表面５０Ｆに熱圧着によって固定される。
【００５８】
図１，３，５に示したように、端面防水部４５は、表面封止部４２Ａの位置する部分と、表面封止部４２Ｂの位置する部分との各々において途切れていてもよい。この場合、表面封止部４２Ａ，４２Ｂの端部においては、表面封止部４２Ａ，４２Ｂと端面防水部４５とが重なっていてもよい。
あるいは、端面防水部４５は、表面封止部４２Ａ，４２Ｂの位置する部分で途切れずに、表面封止部４２Ａ上と表面封止部４２Ｂ上とを通って延びていてもよい。
【００５９】
［作用］
上記調光ユニット１０および調光板１００の作用を説明する。表面封止部４２Ａが、調光シート２０の縁部を跨いで、第１接続領域ＳＡの全体とその周囲、第１配線部３０Ａのなかで第１接続領域ＳＡ上に位置する部分、および、配線基板３２Ａの延在部３３Ａの表面とその周囲を覆っている。したがって、調光シート２０の表面側から、第１接続領域ＳＡと第１配線部３０Ａとの接続部分の付近に水分が浸入することが抑えられる。具体的には、第１透明電極層２３Ａの表面２５ａや第１配線部３０Ａの導体部分への水分の付着、および、第１接続領域ＳＡと調光領域ＳＬとの隣接部分における調光層２１および第２電極シート２２Ｂの端面からの水分の浸入が抑えられる。
【００６０】
また、裏面封止部４３Ａによって、延在部３３Ａと透明板５０との間が埋められている。したがって、調光シート２０の裏面側、すなわち、配線基板３２Ａに対して透明板５０の位置する側から、第１接続領域ＳＡと第１配線部３０Ａとの接続部分の付近に水分が浸入することが抑えられる。特に、配線基板３２Ａの幅方向において、延在部３３Ａの両側に裏面封止部４３Ａがはみ出しているため、延在部３３Ａと透明板５０との間に隙間が形成されることが抑えられ、その結果、上記水分の浸入が的確に抑えられる。また、調光ユニット１０の組み付けに際して、延在部３３Ａと裏面封止部４３Ａとの位置合わせも容易である。
【００６１】
そして、表面封止部４２Ａが、調光シート２０上から裏面封止部４３Ａと重なる位置まで延びているため、調光シート２０の表面側からの水分の浸入が抑えられている領域において、裏面側からも水分の浸入が抑えられる。それゆえ、第１配線部３０Ａの周囲における防水性が的確に高められる。また、表面封止部４２Ａが、調光シート２０上から、裏面封止部４３Ａを完全に覆う位置まで延びているため、裏面封止部４３Ａの粘着層が外部に露出されず、また、第１接続領域ＳＡ、第１配線部３０Ａ、および、裏面封止部４３Ａが形成する凹凸の全体が表面封止部４２Ａに覆われる。したがって、調光ユニット１０の周囲の物品等が第１接続領域ＳＡの付近に接触した場合に、当該物品等が、調光シート２０や第１配線部３０Ａや裏面封止部４３Ａに引っ掛かることが抑えられる。
【００６２】
なお、表面封止部４２Ａが、配線基板３２Ａの延びる方向において、調光シート２０上から裏面封止部４３Ａの位置する部分までを覆う形態、すなわち、延在部３３Ａの表面と対向する位置から見た平面視において、表面封止部４２Ａの外縁の位置と裏面封止部４３Ａの外縁の位置とが一致する形態であれば、以下の効果が得られる。すなわち、配線基板３２Ａの延びる方向における表面封止部４２Ａの端部において、表面封止部４２Ａと裏面封止部４３Ａとのずれによる段差が形成されることが抑えられるため、こうした段差に上記物品等が引っ掛かったり水分が溜まったりすることが抑えられる。
【００６３】
上述では、第１配線防水部４１Ａの作用および効果について述べたが、第２配線防水部４１Ｂについても、同様の作用および効果が得られる。また、調光シート２０の端面が端面防水部４５によって覆われているため、端面が露出されている形態と比較して、端面から調光シート２０の内部に水分が浸入することが抑えられる。
【００６４】
なお、第１接続領域ＳＡにおいては、第１透明電極層２３Ａの表面２５ａが透明板５０とは反対側に向けられる。そして、第１接続領域ＳＡと第１配線部３０Ａとの接続部分や、第１接続領域ＳＡと調光領域ＳＬとの隣接部分における調光層２１および第２電極シート２２Ｂの端面が、調光シート２０に対して透明板５０とは反対側の領域に面する。したがって、調光シート２０の表面側から、表面封止部４２Ａが第１接続領域ＳＡの全体とその外周部とを覆うことで、調光シート２０の表面側からの水分の浸入を抑えている。
【００６５】
これに対し、第２接続領域ＳＢにおいては、第２透明電極層２３Ｂの表面２５ｂは、透明板５０と対向し、第２接続領域ＳＢと第２配線部３０Ｂとの接続部分や、第２接続領域ＳＢと調光領域ＳＬとの隣接部分における調光層２１および第１電極シート２２Ａの端面は、透明板５０と対向する領域に面する。そして、調光領域ＳＬから第２接続領域ＳＢへ、調光シート２０の表面２０Ｆは連続している。そのため、表面封止部４２Ｂは、第２接続領域ＳＢの全体を覆っていなくてもよく、例えば、配線基板３２Ｂの幅方向において、表面封止部４２Ｂの大きさは、第２接続領域ＳＢの大きさよりも小さくてもよい。表面封止部４２Ｂが、調光シート２０上から、調光シート２０の縁部を跨いで、裏面封止部４３Ｂと接合している部分まで配線基板３２Ｂを覆っていれば、調光シート２０の表面側からの水分の浸入は抑えられる。
【００６６】
以上説明したように、本実施形態によれば、以下に列挙する効果を得ることができる。
（１）表面封止部４２Ａ，４２Ｂが、接続領域ＳＡ，ＳＢとその周囲、および、配線部３０のなかで接続領域ＳＡ，ＳＢ上に位置する部分、および、延在部３３Ａ，３３Ｂの表面とその周囲を覆う。また、裏面封止部４３Ａ，４３Ｂが、延在部３３Ａ，３３Ｂの裏面と透明板５０との間を埋める。こうした構成によれば、接続領域ＳＡ，ＳＢと配線部３０との接続部分の付近に、調光シート２０の表面側から水分が浸入することが抑えられるとともに、裏面側から水分が浸入することが抑えられる。したがって、配線防水部４１が設けられていない場合と比較して、配線部３０の周囲における防水性が高められる。
【００６７】
（２）裏面封止部４３Ａ，４３Ｂの全体が、透明板５０上における調光シート２０の外周領域に位置し、延在部３３Ａ，３３Ｂの表面と対向する位置から見た平面視において、延在部３３Ａ，３３Ｂの幅方向の両側に裏面封止部４３Ａ，４３Ｂがはみ出している。こうした構成によれば、配線基板３２Ａ，３２Ｂの幅方向において、延在部３３Ａ，３３Ｂと透明板５０との間に隙間が形成されることが抑えられるため、調光シート２０の裏面側からの水分の浸入が的確に抑えられる。また、調光ユニット１０の組み立てに際して、延在部３３Ａ，３３Ｂと裏面封止部４３Ａ，４３Ｂの位置合わせも容易である。
【００６８】
（３）表面封止部４２Ａ，４２Ｂが、裏面封止部４３Ａ，４３Ｂの全体と重なり、上記幅方向における裏面封止部４３Ａ，４３Ｂの外側で透明板５０の表面５０Ｆに固定されている。こうした構成によれば、調光シート２０の表面側からの水分の浸入が抑えられている領域において、裏面側からも水分の浸入が抑えられるため、配線部３０の周囲における防水性が的確に高められる。また、調光ユニット１０の周囲の物品等が、調光シート２０や配線部３０や裏面封止部４３Ａ，４３Ｂに引っ掛かることが抑えられる。
【００６９】
（４）表面封止部４２Ａ，４２Ｂの厚さＴｆＡ，ＴｆＢが、配線基板３２Ａ，３２Ｂの厚さＴｃＡ，ＴｃＢよりも大きいため、接続領域ＳＡ，ＳＢ、配線部３０、および、裏面封止部４３Ａ，４３Ｂが形成する凹凸が、表面封止部４２Ａ，４２Ｂによって埋まりやすくなる。その結果、表面封止部４２Ａ，４２Ｂと、表面封止部４２Ａ，４２Ｂに接合している各部との密着性が高まるため、調光シート２０の表面側からの水分の浸入がより的確に抑えられる。
【００７０】
また、表面封止部４２Ａ，４２Ｂの厚さＴｆＡ，ＴｆＢが、裏面封止部４３Ａ，４３Ｂの厚さＴｒＡ，ＴｒＢよりも大きいため、これによっても、上記凹凸が、表面封止部４２Ａ，４２Ｂによって埋まりやすくなる。したがって、これによっても、調光シート２０の表面側からの水分の浸入がより的確に抑えられる。
【００７１】
（５）表面封止部４２Ａ，４２Ｂが、基材と、当該基材の一方の面を覆う粘着層とから構成されるシートであれば、表面封止部４２Ａ，４２Ｂの組み付けが容易である。また、裏面封止部４３Ａ，４３Ｂが、基材と、当該基材の両面を覆う粘着層とから構成されるシートであれば、裏面封止部４３Ａ，４３Ｂによって延在部３３Ａ，３３Ｂと透明板５０との間を埋めることが容易である。
【００７２】
（変形例）
上記実施形態は、以下のように変更して実施することが可能である。
・図６が示すように、調光シート２０と透明板５０との間に、調光シート２０よりも薄い支持基材６１が配置されていてもよい。この場合、調光シート２０が取り付けられる透明支持体は、支持基材６１であり、調光板１１０は、調光ユニット１０と支持基材６１とを備える。上記構成においては、調光シート２０の裏面２０Ｒが、透明粘着層６０を介して、支持基材６１に貼り付けられる。そして、支持基材６１における調光シート２０が貼り付けられている面とは反対側の面が、透明粘着層６２を介して透明板５０の表面５０Ｆに貼り付けられる。
【００７３】
支持基材６１は、透明な基材である。調光シート２０の表面２０Ｆと対向する位置から見た平面視において、支持基材６１は調光シート２０よりも大きく、調光シート２０の全体が、支持基材６１の外縁の内側に位置する。
【００７４】
支持基材６１の材料としては、例えば、ガラス、アクリル、ポリカーボネート、ポリエチレン、ポリプロピレン、ポリエチレンテレフタレート等が用いられる。特に、支持基材６１としては、光学用のポリエチレンテレフタレートフィルムが好適に用いられる。支持基材６１の厚さは、２５μｍ以上２００μｍ以下であることが好ましく、２５μｍ以上１９０μｍ以下であることがより好ましい。支持基材６１の厚さが上記下限値以上であれば、支持基材６１が積層されない場合と比較して、取り扱いの容易性を向上させる適度な剛性が調光シート２０と支持基材６１との積層体に付与される。一方、支持基材６１の厚さが上記上限値以下であれば、調光シート２０の可撓性と比較して、調光シート２０と支持基材６１との積層体の可撓性が過度に小さくなることが抑えられ、例えば、当該積層体を曲面に取り付ける場合にも、当該積層体を曲面に沿わせやすい。
【００７５】
調光シート２０が支持基材６１に取り付けられる構成では、調光シート２０の裏面２０Ｒは支持基材６１の表面との面同士の当接によって封止される。さらに、端面防水部４５の形成に際しては、支持基材６１のなかで調光シート２０の外側にはみ出している部分が、端面防水部４５の配置のためのマージンとして機能するとともに、端面防水部４５の形成材料の支持部として機能するため、形成材料の配置や、加熱や冷却等の端面防水部４５の固定のための処理を、容易にかつ効率よく行うことができる。また、透明板５０が配置されている施工現場への輸送前に、調光シート２０および防水部４０を支持基材６１上に配置して調光板１１０を形成することにより、調光板１１０として調光シート２０の輸送および施工が可能である。これによれば、施工現場にて、透明板５０に調光シート２０を貼り付けるとともに防水部４０を配置することと比較して、施工に要する作業量の削減および時間の短縮が可能である。
【００７６】
・第１接続領域ＳＡと第２接続領域ＳＢとの配置、すなわち、第１配線部３０Ａと第２配線部３０Ｂとの配置は特に限定されず、第１接続領域ＳＡと第２接続領域ＳＢとは調光シート２０の一辺に沿って並んでいなくてもよい。また、調光ユニット１０は、複数の第１接続領域ＳＡおよび複数の第１配線部３０Ａを備えてもよいし、複数の第２接続領域ＳＢおよび複数の第２配線部３０Ｂを備えてもよい。
【００７７】
・表面封止部４２Ａと表面封止部４２Ｂとは繋がっていてもよいし、裏面封止部４３Ａと裏面封止部４３Ｂとは繋がっていてもよい。
・表面封止部４２Ａ，４２Ｂは、裏面封止部４３Ａ，４３Ｂの全体を覆っていなくてもよく、配線基板３２Ａ，３２Ｂの延びる方向において裏面封止部４３Ａ，４３Ｂの少なくとも一部を覆っていればよい。
【００７８】
・裏面封止部４３Ａ，４３Ｂは、配線基板３２Ａの幅方向において延在部３３Ａ，３３Ｂの全体と透明支持体との間を埋めていればよく、延在部３３Ａ，３３Ｂの両側にはみ出していなくてもよい。例えば、裏面封止部４３Ａ，４３Ｂの長さＬｒＡ，ＬｒＢは、延在部３３Ａ，３３Ｂの長さＬｃＡ，ＬｃＢと一致し、裏面封止部４３Ａ，４３Ｂの全体が延在部３３Ａ，３３Ｂと透明支持体との間に挟まれていてもよい。
【００７９】
・表面封止部４２Ａ，４２Ｂは、紫外線硬化性樹脂等の樹脂封止材から構成されていてもよい。また、裏面封止部４３Ａ，４３Ｂは、粘着層のみから構成されてもよいし、紫外線硬化性樹脂等の樹脂封止材から構成されていてもよい。ただし、表面封止部４２Ａ，４２Ｂおよび裏面封止部４３Ａ，４３Ｂが基材と粘着層とを備えるシートである方が、上述のように、表面封止部４２Ａ，４２Ｂおよび裏面封止部４３Ａ，４３Ｂの組み付けが容易である。また、表面封止部４２Ａ，４２Ｂが上記シートであれば、調光ユニット１０のメンテナンス時等に、必要に応じて表面封止部４２Ａ，４２Ｂを剥がすことも可能である。
【００８０】
さらに、裏面封止部４３Ａ，４３Ｂは、調光シート２０の外周領域から、調光シート２０の裏面２０Ｒと重なる位置まで広がっていてもよい。例えば、裏面封止部４３Ａは、基材と粘着層とからなるシートであって、表面封止部４２Ａと裏面封止部４３Ａとの間に、第１接続領域ＳＡと第１配線部３０Ａとが挟まれていてもよい。
また、端面防水部４５は配置されていなくてもよいし、端面防水部４５に代えて、調光シート２０の端面には樹脂封止が施されていてもよい。
【００８１】
・配線基板３２Ａ，３２Ｂとして、フレキブルプリント基板に代えて、フレキシブルフラットケーブル（ＦＦＣ：Ｆｌｅｘｉｂｌｅ  Ｆｌａｔ  Ｃａｂｌｅ）を用いてもよい。フレキシブルフラットケーブルは、並列に配置された帯状の導体が、２つの絶縁性樹脂基材で挟まれた構造を有する。フレキシブルフラットケーブルの端部において、帯状の導体が樹脂基材から露出され、この露出部分が導電性接着層３１Ａ，３１Ｂに接合される。
【００８２】
・調光シート２０は、調光層２１および電極シート２２Ａ，２２Ｂに加えて、他の層を備えていてもよい。他の層は、例えば、紫外線バリア機能を有する層等のように、調光層２１や電極シート２２Ａ，２２Ｂを保護するための層や、調光シート２０における光の透過性の制御に寄与する層や、調光シート２０の強度や耐熱性等の特性を高める層等が挙げられる。
【００８３】
また、調光シート２０は、調光層２１と透明電極層２３Ａ，２３Ｂとの間で調光層２１を挟む一対の配向層を備えていてもよい。配向層は、調光層２１が含む液晶分子の配向を制御する層であり、駆動電圧が印加されていないとき、液晶分子を配向層の法線方向に沿って配向させる。配向層を備える構成では、透明電極層２３Ａ，２３Ｂに駆動電圧が印加されているとき、調光領域ＳＬが不透明となり、透明電極層２３Ａ，２３Ｂに駆動電圧が印加されていないとき、調光領域ＳＬが透明となる。配向層を構成する材料としては、例えば、ポリアミド、ポリイミド、ポリカーボネート、ポリスチレン、ポリシロキサン、ポリエチレンテレフタレートやポリエチレンナフタレート等のポリエステル、ポリメチルメタクリレート等のポリアクリレートが挙げられる。配向層を形成するための配向処理は、例えば、ラビング処理、偏光照射処理、微細加工処理である。
【００８４】
調光シート２０が、調光層２１および電極シート２２Ａ，２２Ｂ以外の層をさらに備える場合にも、第１接続領域ＳＡでは、第１透明電極層２３Ａの表面２５ａが他の層から露出されて調光シート２０の最外面を構成し、第２接続領域ＳＢでは、第２透明電極層２３Ｂの表面２５ｂが他の層から露出されて調光シート２０の最外面を構成していればよい。
【００８５】
また、調光層２１は、所定の色を有する色素であって、調光層２１に印加された電圧の大きさに応じた液晶分子の運動を妨げない色素を含んでもよい。こうした構成によれば、所定の色を有する調光領域ＳＬが実現される。
【符号の説明】
【００８６】
ＳＡ，ＳＢ…接続領域、ＳＬ…調光領域、１０…調光ユニット、２０…調光シート、２０Ｆ…表面、２０Ｒ…裏面、２１…調光層、２２Ａ，２２Ｂ…電極シート、２３Ａ，２３Ｂ…透明電極層、２４Ａ，２４Ｂ…透明支持層、３０，３０Ａ，３０Ｂ…配線部、３１Ａ，３１Ｂ…導電性接着層、３２Ａ，３２Ｂ…配線基板、３３Ａ，３３Ｂ…延在部、４０…防水部、４１Ａ，４１Ｂ…配線防水部、４２Ａ，４２Ｂ…表面封止部、４３Ａ，４３Ｂ…裏面封止部、５０…透明板、５０Ｆ…表面、６０，６２…透明粘着層、６１…支持基材、１００，１１０…調光板。
【図１】
2020038265.tif 000003
【図２】
2020038265.tif 000004
【図３】
2020038265.tif 000005
【図４】
2020038265.tif 000006
【図５】
2020038265.tif 000007
【図６】
2020038265.tif 000008